(57)【要約】【課題】  必要に応じて、物掛け具の付け替えを容易にするため、フックの向きを回動させ、フックに物を吊り下げるだけで、フックの方向がマグネットの面の中心から垂直方向に自然修正でき、物を吊るし又は、掛ける時点でのフックのふらつきを解消し、老人や子供等力の弱い者にも、容易に移動や設置ができる、物掛け具を提供することである。【解決手段】  軸主体１の一端にフランジ４を設けると共に、フランジ４の面に軸３を設け、軸主体１の他の端部付近にフックＭを挿着保持するための開口部２を設け、この開口部２にフックの一端１０を挿着し、更に、軸３は、ヨークの作用をするハウジング５に設けた、ハウジング開口部６回動自在に軸着保持し、フックＭを磁化する手段を備えたことである。【選択図】  図１
2005279220.tif 000002
【特許請求の範囲】
【請求項１】
軸主体とハウジングとマグネットとフックと前記フックを磁化する手段から成り、前記軸主体を前記ハウジングに回動自在に設け、前記軸主体の一端に前記フックを自在に保持する開口部を設け、前記フックを磁化する手段を備えたことを特徴とする物掛け具。
【発明の詳細な説明】
【技術分野】
【０００１】  本発明は、冷蔵庫又はスチール製ボード（ホワイトボード）又はスチール製間仕切りその他、鋼製の面に物を掛けるための物掛け具に関するものである。
【背景技術】
【０００２】  従来、冷蔵庫の外面やスチール製ボード等磁性体の面に物を刷り下げる場合、設置方向の面に粘着面を設けたフック状の物掛け具（以下吊り具という）若しくはマグネットを設けて、磁力によって吊り具を、所定の位置に固定する方法の吊り具が、実用に供せられている。  しかし、粘着面を設けた吊り具にあっては、一度粘着面を使用して固定すると必要に応じて他の位置に移動することができないため、マグネットを設けた吊り具を使用することが多く、従って、マグネットを設けた吊り具の磁性体の面への着脱移動頻度は、増加傾向にある。  このため、磁性体の面での移動に伴う、吊り具の付け替えに際し、フック部分が垂直方向に的確にセットされない場合が多く、フックの方向が捻れた状態でセットされる。  その結果、フックに物を吊り下げると、その物の重みでフックは垂直方向に引き下げられ、マグネット面と磁性体であるスチール面の間に滑りが生じ、この滑りが原因となって、吊り具に吊した物と共に滑落する、と言う問題があった。  又、この問題の解決にあたってマグネットの面、又はヨーク等に摩擦係数の高いシートや、テープを貼着し、滑りを防止し、更に、磁力を強力にすることによって、安定化を図ってきた。  しかし、マグネットの磁力を強力にすることは、吊り具を付け変える場合、マグネットの磁力が強く成りすぎて、磁性体面から磁石を引き離すのに、強い力を必要とするため、力の弱い老人や子供等が、自由に付け変え作業をすることが困難となっている、と言う新たな問題が生じている。
【発明の開示】
【発明が解決しようとする課題】
【０００３】  従って、本発明が解決しようとする課題は、必要に応じて物掛け具の付け替えを容易にするために、フックの向きを回動させ、フックに物を吊り下げるだけで、フックの方向が、マグネットの面の中心から垂直方向に自然修正でき、物を吊るし又は掛ける時点でのフックのふらつきを防止し、比較的弱い磁力でも、安定的に吊り下げ物を保持することが可能な物掛け具を提供することである。
【発明を解決するための手段】
【０００４】  本発明は、軸主体１の一端にフランジ４を設けると共に、フランジ４の面に軸３を設け、軸主体１他の端部付近に、フックＭを回動自在に挿着保持するための、開口部２を設け、この開口部２にはフック一端１０を挿着し、更に、軸３は、ヨークの作用をするハウジング５に設けた、ハウジング開口部６に回動自在に軸着保持し、磁性体面に磁着するためのマグネットを設け、フックＭを磁化する手段を備えたことである。
【０００５】  上記に述べた、フックＭを磁化する手段とは軸３を介して、マグネット７の磁力をフックＭに伝えることで、ヨークの役割をするハウジング５の背面にまで磁力を引き出すことである。
【発明の効果】
【０００６】  本発明によれば、必要に応じ、物掛け具を設置又は移動設置する場合、磁性体面Ｒに対し、平行方向で回動自在に設けてあるから、物を吊り下げるだけで、物の重みで自動的にフックＭが垂直方向に強制される。  このため、設置や移動、取り付け等、使用場所の付け替えが極めて容易となり、更には、フックＭは磁性体面Ｒ磁着しふらつきが解消されるため、物の掛け外し時の掛け難さ、外し難さから開放される。
【０００７】  又、梃子の原理によって、重力の方向を分散させることで、磁力を有効に活用でき、マグネット７の磁力を弱くしても、吊り下げ応力の低下を招かないため、使用場所の異なる場合の付け替えは微弱な力によっても可能であるから、力の弱い老人や子供にも容易に取り扱える等、その効果は大きい。
【発明を実施するための最良の形態】
【０００６】  軸主体１の一端に軸３を設けると共に、軸主体１の他の端部付近に、フックの一端１０を回動自在に挿入するための開口部２を設けてあり、軸３をハウジング開口部６に回動自在に挿着保持した後、リング状に形成されたマグネット７をハウジング５内に固着する。  この場合、軸３の端部はマグネット開口部８内に突出し、マグネット開口部８の面に生ずる磁力線を受けて、軸主体１が磁化され、軸主体１が磁化されることによって生ずる磁力線をフックの一端１０からフックＭ全体を磁化し、磁性体面にフックＭが磁着し、物を掛け外し時に生ずるフックＭのふらつき防止するように構成してある。【０００７】  この場合、フックの一端１０が自在に回動することによって、吊り下げた物体の重力方向Ｕを、限りなくスチール面Ｒに近づけることができるように構成することが好ましく、距離Ｈと距離Ｔの関係に於いて、接点Ｈ１を支点としてフック一の端１０には小さな引き離し力が働くように形成してある。【０００８】  更に、軸３をハウジング開口部６に回動自在に挿着保持するにあたって、軸３に先端部がマグネット開口部８内にあって、マグネット７の磁力を受けて軸主体１を介し、てフックＭの略Ｕ字部１２を磁化している状態が好ましく、これによって、略Ｕ字部１２がスチール面Ｒに磁力によって自然に吸着し、安定的にその位置を保持し、且つ、フックＭは吊り下げた物体の重力によって、垂直方向に移動することが望ましく、更には、略Ｕ字部に重力が掛かった状態に於いて、接点Ｈ１がスチール面Ｒに当接して支点を構成し、距離Ｔと距離Ｈに於いて、梃子の原理が働き、略Ｕ字部１２に掛かる吊り下げ物の重力は、二方向に掛かる方向、例えば力の方向をｇ方向と、Ｕ方向に分散することが望ましい。
【実施例１】
【０００９】  以下、本発明の実施例について図面に基づいて説明すると、図１は本発明の実施例の斜視図、図２はＥ，Ｅ′断面図で、図３は分解斜視図であり、図４は磁性体の面に取り付けた状態を示す側面図で、鉄又はニッケル等の磁性体から成る軸主体１の一端にフランジ４を設けると共に、軸主体１他の一端に開口部２を設け、開口部２にはフック一の端１０を回動自在、又は若干の角度回動するように挿入保持してある（図１）。【００１０】  更に、（図２、図３）フランジ４の面には軸３を設け、回動を円滑にする効果を与え、ハウジング開口部６に回動自在に設けてあり、この時軸３はカシメるか又はネジ止め等によって保持することも可能で、ハウジング５の内面より突出させ、マグネット開口部８内の磁力を開口部２を介してフック一の端１０からフック先端１１にまで伝えるに充分な大きさであることが望ましい。【００１１】  この時、略Ｕ字部１２付近は磁性体面Ｒに当接しており、一方フックの一端１０は磁性体面Ｒから距離を置いた位置に形成するとよく、ハウジング５内にマグネット開口部８を設けた、ある程度の磁力から成るマグネット７を挿入保持し、ハウジング５がヨークの働きをするよに構成してある。【００１２】  又、磁性体の面Ｒ、例えば冷蔵庫、或いはスチール製ボード等の塗装面にハウジング５又はマグネット７等が接触して傷を付けないためと、滑り防止のために、伸縮性及び摩擦係数の高い素材を用いて形成した、カバー９を用いてハウジング５及び、マグネット７を覆うと、滑り止め効果及び、傷防止効果を得ることは言うまでもない。  この時、カバー９の内径をハウジング５の外径より小さく形成し、又は、カバー９の外縁部に突状Ｓが形成されるように構成してもよく、突状Ｓがエッジの役割をし、マグネット７及びハウジング５の縁部によって強圧される一方、他の部分は肉薄に形成されることにより、マグネット７の面と磁性体面Ｒが接近し、磁力の低下防止と、滑り止め効果が増幅される。【００１３】  更に、（図４）磁性体面Ｒに本実施例の物掛け具を磁着した場合、フックＭの垂直方向を確認することなく、物を掛ける場合その物の重量により、軸主体１が回動自在にハウジング５に設けてあるため、掛けた物の重力により垂直方向に強制されるから、物掛け具の付け替えにより、フックＭの方向を確認する必要がなくなる。【００１４】  又、マグネット７から伝達される磁力によって、フックＭが常に磁力を帯びており、開口部２に若干の角度回動し、又は回動自在にフックＭを設けることにより、フックＭは前後方向に自在に動いて磁性体面Ｒに磁着するため、従って、物の掛け外し時に、フックＭ部分が揺れてふらつき、掛けにくい、外しにくい等の煩わしさを解消することができる。【００１５】  更に、略Ｕ字部１２に物を吊した状態に於いて、重力は重力方向Ｕ方向に掛かる、従って、支点Ｈ１の位置が磁性体面Ｒ上に構成される一方、フックの一端１０は、磁性体面Ｒより、著しく放れた距離に形成されることによって、距離Ｈと距離Ｔの関係に於いて、梃子の原理が発生し、縁部Ｎに重力が集中し、下方向への滑動を阻害し、且つ、重力方向Ｕの重力の一部は、ｇ方向に分散されるため、マグネット７の磁力が比較的弱い状態に於いても��物掛け具の性能を低下させることがないから、子供や老人等手指の力が弱い場合に於いても、物掛け具の付け替えが極めて容易にできる等、効果は大きい。
【図面の簡単な説明】
【００１６】【図１】本発明の実施例の物掛け具を示す斜視図である。
【図２】本発明の実施例の物掛け具のＥ，Ｅ′断面の斜視図である。
【図３】本発明の実施例の一部切り欠きの分解斜視図である
【図４】本発明の物掛け具の側面図である。
【符号の説明】
【００１７】１  軸主体２  開口部３  軸４  フランジ５  ハウジング６  ハウジング開口部７  マグネット８  マグネット開口部９  カバーＭ  フック１０  フックの一端１１  フック先端１２  略Ｕ字部Ｈ１  支点Ｔ  距離Ｈ  距離Ｕ  重力方向Ｎ  縁部ｇ  引っ張り力方向Ｒ  磁性体面Ｓ  縁部
【図１】
2005279220.tif 000003
【図２】
2005279220.tif 000004
【図３】
2005279220.tif 000005
【図４】
2005279220.tif 000006